(57)【特許請求の範囲】
【請求項１】
後板の周縁から全周に亘って前方へ突出する周壁を備え前面が開口した箱状のボックス本体を備え、配線器具を保持する取付枠が取付ねじによって固定される取付部と、前記ボックス本体の前面を覆う化粧プレートが装着されるプレート受け部とを前記ボックス本体に備え、施工面に前記後板の後面を対向させた形で施工される露出増設ボックスであって、それぞれ前記周壁の内周面に突設され前記化粧プレートの後部が当接するように前記ボックス本体に一体に設けた複数個の位置決め片と、前記取付ねじを前記位置決め片を設けた前記周壁と交差しかつ前記位置決め片に沿う方向に配置した形で前記取付ねじの一部を前記位置決め片との間に挟持するように前記ボックス本体に一体に設けたねじ固定片とを備えることを特徴とする露出増設ボックス。
【請求項２】
前記ボックス本体は直方体状であって、前記周壁において前記後板の４隅の前方には、それぞれ前端が前記周壁の他の部位の前端よりも前方へ突出したプレート受け部が設けられ、前記位置決め片は前記周壁のうち互いに対向する一対の壁にそれぞれ２箇所ずつ設けられ、各位置決め片は、それぞれ、同じ側に設けられた他の位置決め片との間の距離が最も近いプレート受け部との間の距離よりも長くなる位置に設けられていて、前記取付枠を前記ボックス本体に固定する際に用いられる前記取付ねじは２本であって、各ねじ固定片はそれぞれ１つの壁に設けられた２つの前記位置決め片の間に設けられていることを特徴とする請求項１記載の露出増設ボックス。
【請求項３】
前記ボックス本体は直方体状であって、前記位置決め片は前記周壁のうち互いに対向する一対の壁にそれぞれ２箇所ずつ設けられ、前記取付枠を前記ボックス本体に固定する際に用いられる前記取付ねじは２本であって、各ねじ固定片は一方の壁に設けられた各位置決め片に対してそれぞれ設けられていることを特徴とする請求項１記載の露出増設ボックス。
【請求項４】
前記ボックス本体は直方体状であって、前記位置決め片は前記周壁のうち左右一対の壁にそれぞれ２箇所ずつ設けられ、前記取付枠を前記ボックス本体に固定する際に用いられる前記取付ねじは２本であって、各ねじ固定片は、下側に位置する前記位置決め片に対してそれぞれ設けられていることを特徴とする請求項１記載の露出増設ボックス。
【発明の詳細な説明】
【０００１】
【発明の属する技術分野】
本発明は、配線器具を取り付けるための露出増設ボックスであって壁面のような施工面上に露出した状態で施工面に固定される露出増設ボックスに関するものである。
【０００２】
【従来の技術】
従来から、既設の建物において壁面等の施工面に配線器具を増設するために、施工面上に露出した状態で固定される露出増設ボックスが用いられている。この種の露出増設ボックスとして、図９に示すようなものがある。この露出増設ボックスは、矩形状の後板２の周縁から周壁３が前方へ突設されて前面が開口した箱状に形成された合成樹脂成形品からなるボックス本体１を備える。
【０００３】
この露出増設ボックスを壁面に取り付けるにあたっては、ボックス本体１は後板２の長手方向を上下へ向けて固定される。このとき、ボックス本体１には、周壁３に囲まれた位置に配線器具を保持する取付枠（図示せず）がボックス本体１の前面の開口を跨ぐ形で２本の取付ねじＳによってねじ止めされ、さらに、取付枠とボックス本体１との前面を覆う化粧プレート（図示せず）が装着される。化粧プレートの位置決めのため、ボックス本体１には、図１０に示すように周壁３よりも前方へ突出した位置決め片４が設けられている。
【０００４】
従来、取付枠を固定する取付ねじＳの紛失を防ぐため、図１１に示すように取付ねじＳを収納袋Ｂに入れて粘着テープＴを用いてボックス本体１に収納袋Ｂを貼着していた。
【０００５】
しかし、取付ねじＳを収納袋Ｂに入れて粘着テープＴで止める構成を採用すると、収納袋Ｂと粘着テープＴとが別途必要となり、これらは施工後に廃材となってしまう。
【０００６】
そこで、収納袋Ｂや粘着テープＴのような別部材を用いず、図１２に示すように、ボックス本体１の後板２の前面に突設されたねじ保持部５によって取付ねじＳを保持する露出増設ボックスが提案されている。この露出増設ボックスにおいては、ねじ保持部５は後板２の上下方向の中間部において左右に２個並設されている。図１３に示すように、各ねじ保持部５はそれぞれ後板２から前方に突設され１つの円筒形の一部をなす３枚のねじ保持片５ａからなる。ねじ保持部５の対向する部位同士の間の幅寸法Ｗ１（図１４参照）は取付ねじＳの脚部Ｓ１の外径Ｗ２（図１６参照）よりもやや小さく形成されていて、取付ねじＳの頭部Ｓ２を脚部Ｓ１よりも前方へ向けてねじ保持片５ａに囲まれた位置に取付ねじＳの脚部Ｓ１を導入し図１６の矢印Ａの方向に押し込むことによって図１５に示すように取付ねじＳがボックス本体１に保持される。ねじ保持部５の配置が上記の例と異なる露出増設ボックスとして、図１７に示すようにねじ保持部５が左側の周壁３に沿って上下に並設された露出増設ボックスや、図１８及び図１９に示すように、上述した図１２及び図１５の例よりもねじ保持部５が後板２の下端に近い位置において左右に並設された露出増設ボックスも提案されている。
【０００７】
【発明が解決しようとする課題】
上述したようにねじ保持部５が設けられた図１２乃至図１９の露出増設ボックスにおいては、出荷前に取付ねじＳをボックス本体１に自動組み付けしている。しかし、ねじ保持部５は周壁３に囲まれた奥に位置していて、組み付けの際に取付ねじＳの位置決めのために基準となるものが無く、かつ取付ねじＳの脚部Ｓ１を頭部Ｓ２に対して後板２に向けてねじ保持部５に導入するから、仮に取付ねじＳの頭部Ｓ２を誘導するガイドを設けたとしても、組み付けの際に取付ねじＳの脚部Ｓ１の先端をねじ保持部５の位置に合わせにくく、自動組み付けは容易ではなかった。
【０００８】
本発明は上記事由に鑑みてなされたものであり、その目的は、取付ねじの自動組み付けが容易で、かつねじを保持する構造を設けるための金型の変更が少なくてすむ露出増設ボックスを提供することにある。
【０００９】
【課題を解決するための手段】
請求項１の発明は、後板の周縁から全周に亘って前方へ突出する周壁を備え前面が開口した箱状のボックス本体を備え、配線器具を保持する取付枠が取付ねじによって固定される取付部と、前記ボックス本体の前面を覆う化粧プレートが装着されるプレート受け部とを前記ボックス本体に備え、施工面に前記後板の後面を対向させた形で施工される露出増設ボックスであって、それぞれ前記周壁の内周面に突設され前記化粧プレートの後部が当接するように前記ボックス本体に一体に設けた複数個の位置決め片と、前記取付ねじを前記位置決め片を設けた前記周壁と交差しかつ前記位置決め片に沿う方向に配置した形で前記取付ねじの一部を前記位置決め片との間に挟持するように前記ボックス本体に一体に設けたねじ固定片とを備えることを特徴とする。
【００１０】
請求項２の発明は、請求項１の発明において、前記ボックス本体は直方体状であって、前記周壁において前記後板の４隅の前方には、それぞれ前端が前記周壁の他の部位の前端よりも前方へ突出したプレート受け部が設けられ、前記位置決め片は前記周壁のうち互いに対向する一対の壁にそれぞれ２箇所ずつ設けられ、各位置決め片は、それぞれ、同じ側に設けられた他の位置決め片との間の距離が最も近いプレート受け部との間の距離よりも長くなる位置に設けられていて、前記取付枠を前記ボックス本体に固定する際に用いられる前記取付ねじは２本であって、各ねじ固定片はそれぞれ１つの壁に設けられた２つの前記位置決め片の間に設けられていることを特徴とする。
【００１１】
請求項３の発明は、請求項１の発明において、前記ボックス本体は直方体状であって、前記位置決め片は前記周壁のうち互いに対向する一対の壁にそれぞれ２箇所ずつ設けられ、前記取付枠を前記ボックス本体に固定する際に用いられる前記取付ねじは２本であって、各ねじ固定片は一方の壁に設けられた各位置決め片に対してそれぞれ設けられていることを特徴とする。
【００１２】
請求項４の発明は、請求項１の発明において、前記ボックス本体は直方体状であって、前記位置決め片は前記周壁のうち左右一対の壁にそれぞれ２箇所ずつ設けられ、前記取付枠を前記ボックス本体に固定する際に用いられる前記取付ねじは２本であって、各ねじ固定片は、下側に位置する前記位置決め片に対してそれぞれ設けられていることを特徴とする。
【００１３】
【発明の実施の形態】
以下、本発明の実施の形態を図面に基づいて説明する。
【００１４】
（実施形態１）
本実施形態におけるボックス本体１は合成樹脂成形品であって、図３及び図４に示すように、矩形状の後板２の周縁から周壁３が突設されて前面が開口した箱状に形成されている。このボックス本体１は壁面に対し、後板２の長手方向を上下に向けて固定される。
【００１５】
周壁３の上壁３Ｕの前端において左右方向の中間部からは、取付部１０がボックス本体１の開口面に沿って下方へ延設されている。また、周壁３の下壁３Ｄの前端において左右方向の中間部からは、別の取付部１０がボックス本体１の開口面に沿って上方へ延設されている。さらに、前後に開口した筒状の筒状部１０ａが各取付部１０の先部から後方へそれぞれ突設されている。筒状部１０ａの内周には前側の開口を後側の開口よりも小さくする段が２段設けられていて、取付ねじＳが螺合するナットＮ（図２参照）は後方から筒状部１０ａに挿入され２つの段の間に保持される。また、取付部１０の前後への撓みを防止するために、各取付部１０の左右の縁部には上下において筒状部１０ａと周壁３とに連続する支持部１０ｂがそれぞれ後方へ延設されている。
【００１６】
周壁３において後板２の４隅の前方には、前端が周壁３の他の部位の前端よりも前方へ突出したプレート受け部９がそれぞれ設けられている。各プレート受け部９において、周壁３の他の部位の前端よりも前方へ突出した部分の上下左右の外周は周壁３の上下左右の外周よりも内側に位置している。また、各プレート受け部９の前面には、後述する化粧プレートの係合爪と係合する係合穴９ａがそれぞれ設けられている。
【００１７】
また、それぞれ前後に延びて後端が後板２に連続し前端が周壁３の前端よりも前方へ突出した位置決め片４が周壁３の内周面において左壁３Ｌ及び右壁３Ｒに２つずつ突設されている。ここで、各位置決め片４において、同じ側に設けられた他の位置決め片４との間の距離Ｌ２が最も近いプレート受け部９との間の距離Ｌ１よりも長くなる位置に各位置決め片４は設けられている。また、各位置決め片４は上下及び左右において対称な位置に設けられている。
【００１８】
露出増設ボックスの施工の際、ボックス本体１には、周壁３に囲まれた位置に配線器具を保持する取付枠がボックス本体１の開口面に跨る形で２本の取付ねじＳによって取付部１０にねじ止めされ、さらに図５に示すようにボックス本体１と取付枠と取付ねじＳとの前面を覆って配線器具の機能部をボックス本体１の前方に露出させる化粧プレートＰが装着される。ここで、機能部とは、スイッチにおける操作部やコンセントにおける栓刃挿入口などを指す。ここにおいて化粧プレートＰの上下左右の外周はボックス本体１の開口面の外周と重なる。化粧プレートＰの周縁にはプレート周壁Ｐ１が後方へ突設されていて、プレート受け部９と位置決め片４の前端とにプレート周壁Ｐ１の内周が当接することによって化粧プレートＰはボックス本体１に対して位置決めされる。位置決め片４には、左壁３Ｌ及び右壁３Ｒの左右への撓みを防止する効果もある。また、化粧プレートＰには係合爪Ｐ２が後方に突設されていて、プレート受け部９に設けられた係合穴９ａと係合爪Ｐ２との係合によって化粧プレートＰはボックス本体１に保持される。
【００１９】
また、ボックス本体１には、取付枠を固定する取付ねじＳを保持するため、左上の位置決め片４の下側と左下の位置決め片４の上側とにはそれぞれ後板２に連続し位置決め片４と対向するねじ固定片６が周壁３から突設されている。ねじ固定片６と位置決め片４との隙間の幅寸法Ｗ３（図３参照）は取付ねじＳの脚部の外径Ｗ２よりもやや小さく設定されている。また、ねじ固定片６の後板２の前面からの高さ寸法ｈ１は位置決め片４の高さ寸法ｈ２よりも低く設定され、ねじ固定片６の前端は後板２付近に位置している。
【００２０】
また、ねじ固定片６の先部と位置決め片４の先部との間において周壁３の左壁３Ｌに沿って延びたねじ受け片７が後板２から前方へ突設されている。ねじ固定片６と位置決め片４とは、ねじ受け片７によって連結されてねじ保持片８を形成している。各ねじ受け片６の高さ寸法は、ねじ固定片６と位置決め片４との間に挟持された取付ねじＳの脚部Ｓ１がねじ受け片７に当接し頭部Ｓ２が後板２に当接した状態で、取付ねじＳの脚部Ｓ１が後板２の前面に略並行になるように設定されている。
【００２１】
また、後板２には、壁面等の施工面に露出増設ボックスをねじ止めするための６つのボックス固定用穴１１が横に３個ずつ並べて上下２列に設けられている。上の列の左右のボックス固定用穴１１と下の列の中央のボックス固定用穴１１とは上下に長い長穴状に形成され、その他の３個のボックス固定用穴１１は左右に長い長穴状に形成されている。
【００２２】
上述したボックス本体１に取付ねじＳを保持させるには、図６に示すように取付ねじＳの頭部Ｓ２を脚部Ｓ１よりも左壁３Ｌから離れる方向へ向けた状態で、取付ねじＳの脚部を位置決め片４に当接させて図６の矢印Ｅの方向に押圧することによりねじ固定片６と位置決め片４との間に導入し、取付ねじＳの頭部Ｓ２が後板２に当接し取付ねじＳの脚部がねじ受け片７に当接するまで圧入する。ここにおいて図１及び図２に示すように取付ねじＳが位置決め片４とねじ固定片６との間に挟持される。ここで、取付ねじＳをねじ固定片６と位置決め片４との間に導入する際に工具を用いてもよい。
【００２３】
上記構成によれば、化粧プレートＰの位置決めのために従来から設けられている位置決め片４をねじ固定片６とともに取付ねじＳを挟持するために兼用しているから、１本の取付ねじＳを保持するためにはねじ固定片６を１つ設けるだけでよく、１本の取付ねじＳを保持するためのねじ固定片６を２つ設ける場合に比べ、取付ねじＳを保持する構造を設けるための金型の変更が少なくてすむ。
【００２４】
取付ねじＳをボックス本体１に組み付けるに当たっては、ねじ固定片６の一方とともにねじ保持片８を形成する位置決め片４に取付ねじＳの脚部Ｓ１を当接させることによって容易に位置決めすることができる。また、取付ねじＳを各ねじ保持片８に対して共通の向きで保持させることができるから、ボックス本体１に取付ねじＳを保持させる際にボックス本体１や取付ねじＳを回転させる必要が無い。従って、従来例で述べた図１２乃至図１９の露出増設ボックスのように取付ねじＳの頭部Ｓ２に対して脚部Ｓ１を後板２へ向けてボックス本体１に保持させる露出増設ボックスや、場所ごとに取付ねじＳを異なる向きに向けて保持させる露出増設ボックスに比べ、取付ねじＳの自動組み付けが容易である。
【００２５】
また、各位置決め片４において、同じ側に設けられた他の位置決め片４との間の距離は最も近いプレート受け部９との間の距離よりも長く、かつ各ねじ固定片６はそれぞれ同じ側の壁に設けられた２つの位置決め片４の間に設けられているから、ねじ固定片６を位置決め片４とプレート受け部９との間に設ける場合に比べ、自動組み付けの際に周壁３や他の位置決め片４が邪魔になりにくく、比較的広い場所を使用できるから、自動組み付けに用いる機械として取付ねじＳを保持する部品が特に小型でない機械でも使用することができる。
【００２６】
なお、上記実施例においては、ねじ固定片６は左壁３Ｌに設けたが、右壁３Ｒに設けてもよい。
【００２７】
（実施形態２）
本実施形態において、各ねじ固定片６は図７に示すように左壁３Ｌ及び右壁３Ｒにおいてそれぞれ下側に位置する各位置決め片４に対してそれぞれ設けられている。言い換えると、左壁３Ｌ及び右壁３Ｒにおいてそれぞれ下側に位置する各位置決め片４がねじ保持片８を構成する。図８に示すように、各取付ねじＳは、ボックス本体１の上下方向における中間よりも下において、頭部Ｓ２に対する脚部Ｓ１の向きが各ねじ保持片８において互いに逆向きになるようにそれぞれ保持される。その他の構成は、実施形態１と同様である。
【００２８】
ところで、一般に建物内では商用電力用の電源線は天井に敷設されることが多いから、露出増設ボックスにおいて配線器具に接続される電線はボックス本体１の上部から導入されることが多い。本実施形態の構成によれば、上側の位置決め片４に対してねじ固定片６を設ける場合に比べ、挟持された取付ねじＳがより下方に位置するから、ボックス本体１の上部から電線を導入し配線器具に接続する際に、電線を持つ手が取付ねじＳに当たりにくく、施工が容易である。
【００２９】
【発明の効果】
請求項１の発明は、化粧プレートの位置決めのために従来から設けられている位置決め片を、取付ねじを保持するために兼用するので、１本の取付ねじに対して設けるねじ固定片は１つでよいから、１本の取付ねじを保持するためのねじ固定片を２つ設ける場合と比べ、ねじを保持する構造を設けるための金型の変更が少なくてすむ。また、取付ねじの脚部を位置決め片とねじ固定片との間に導入する際は、取付ねじの脚部を位置決め片に当接させることによって容易に位置合わせをすることができるから、取付ねじの自動組み付けが容易である。
【００３０】
請求項２の発明は、位置決め片に対してボックス本体の上下の端部から離れた側にねじ固定片を設けることになるから、位置決め片に対してボックス本体の上下の端部に近い側にねじ固定片を設ける場合に比べ、取付ねじの脚部を位置決め片に沿わせて位置決め片とねじ固定片との間に導入する際に周壁が邪魔になりにくく、自動化に比較的広い場所を使用できるから、自動組み付けに用いる機械として取付ねじを保持する部品が特に小型でない機械でも使用することができ、取付ねじの組み付けの自動化が容易である。
【００３１】
請求項３の発明は、取付ねじを２箇所のねじ固定片において互いに同じ向きで保持させることができるから、ボックス本体に取付ねじを保持させる際にボックス本体や取付ねじを回転させる必要が無い。従って、ねじ固定片ごとに取付ねじを異なる向きに向けて保持させる場合に比べ、取付ねじの自動組み付けが容易である。
【００３２】
請求項４の発明は、ボックス本体において配線器具に接続される電線が導入されることの多い上部から離れた側である下側の位置決め片に対してねじ固定片を設けるので、上側の位置決め片に対してねじ固定片を設ける場合に比べ、電線をボックス本体に導入する際に電線を持つ手が取付ねじに当たりにくく、施工が容易である。
【図面の簡単な説明】
【図１】本発明の実施形態１において取付ねじを保持した状態を示す正面図である。
【図２】同上において取付ねじを保持した状態を示す断面図である。
【図３】同上を示す正面図である。
【図４】同上を示す断面図である。
【図５】同上において化粧プレートが装着された状態を示す断面図である。
【図６】図１のＣ−Ｃ断面図である。
【図７】本発明の実施形態２において取付ねじを保持した状態を示す正面図である。
【図８】同上において取付ねじを保持した状態を示す断面図である。
【図９】従来例を示す正面図である。
【図１０】同上を示す断面図である。
【図１１】同上の要部を示す正面図である。
【図１２】別の従来例を示す正面図である。
【図１３】同上の要部を示す斜視図である。
【図１４】図１２のＢ−Ｂ断面図である。
【図１５】同上において取付ねじが保持された状態を示す正面図である。
【図１６】図１５のＤ−Ｄ断面図である。
【図１７】更に別の従来例において取付ねじが保持された状態を示す正面図である。
【図１８】更に別の従来例を示す正面図である。
【図１９】同上において取付ねじが保持された状態を示す正面図である。
【符号の説明】
１  ボックス本体
２  後板
３  周壁
４  位置決め片
６  ねじ固定片
Ｓ  取付ねじ
Ｐ  化粧プレート
【図１】
0004066687.tif 000002
【図２】
0004066687.tif 000003
【図３】
0004066687.tif 000004
【図４】
0004066687.tif 000005
【図５】
0004066687.tif 000006
【図６】
0004066687.tif 000007
【図７】
0004066687.tif 000008
【図８】
0004066687.tif 000009
【図９】
0004066687.tif 000010
【図１０】
0004066687.tif 000011
【図１１】
0004066687.tif 000012
【図１２】
0004066687.tif 000013
【図１３】
0004066687.tif 000014
【図１４】
0004066687.tif 000015
【図１５】
0004066687.tif 000016
【図１６】
0004066687.tif 000017
【図１７】
0004066687.tif 000018
【図１８】
0004066687.tif 000019
【図１９】
0004066687.tif 000020